(57)【特許請求の範囲】
【請求項１】
液体を吐出する複数のノズルが設けられたノズルプレートと、
該ノズルプレートと接合され、隔壁により区切られた複数の液室が設けられた流路基板と、
前記液室内の液体を加圧する圧力を発生するための駆動手段と、
前記液室の少なくとも一部の壁面を形成する振動板と、
前記流路基板の前記ノズルプレートとは反対側に接合され、シリコンからなる保持基板と、を備えた液滴吐出ヘッドにおいて、
前記保持基板は、前記流路基板側の前記駆動手段に対向する位置に、該保持基板と前記流路基板とで囲まれる空間部を有し、
該空間部は、前記保持基板に設けられた溝部を介して大気と連通していることを特徴とする液滴吐出ヘッド。
【請求項２】
前記空間部は、前記駆動手段毎に複数形成され、該複数の空間部がそれぞれ第一溝部を有し、該第一溝部が大気と連通していることを特徴とする請求項１に記載の液滴吐出ヘッド。
【請求項３】
前記複数の空間部は第二溝部を介して連通していることを特徴とする請求項２に記載の液滴吐出ヘッド。
【請求項４】
前記第二溝部の端部が大気と連通していることを特徴とする請求項３に記載の液滴吐出ヘッド。
【請求項５】
前記空間部は、前記駆動手段毎に複数形成され、該複数の空間部が第二溝部を介して連通し、
該第二溝部が大気と連通していることを特徴とする請求項１に記載の液滴吐出ヘッド。
【請求項６】
前記保持基板の前記流路基板とは反対側に接合され、共通液室が設けられた共通液室基板を備え、
前記保持基板は、前記共通液室から前記流路基板へと開口する保持基板開口部を有し、
前記第一溝部は、前記空間部からみて、前記保持基板開口部に対向する側から大気と連通することを特徴とする請求項２から４までのいずれかに記載の液滴吐出ヘッド。
【請求項７】
前記第一溝部、および／または前記第二溝部は、前記保持基板の前記流路基板との接合面側に設けられることを特徴とする請求項２から６までのいずれかに記載の液滴吐出ヘッド。
【請求項８】
請求項１から７までのいずれかに記載の液滴吐出ヘッドと、
該液滴吐出ヘッドにインクを供給するインクタンクと、を備えたことを特徴とするインクカートリッジ。
【請求項９】
請求項１から７までのいずれか記載の液滴吐出ヘッド、または、請求項８に記載のインクカートリッジを備えたことを特徴とする画像形成装置。
【発明の詳細な説明】
【技術分野】
【０００１】
本発明は、液滴吐出ヘッド、インクカートリッジおよび画像形成装置に関する。さらに詳述すると、駆動手段により振動板を変位させノズルから液滴を吐出させる液滴吐出ヘッド、および該液滴吐出ヘッドを備えたインクカートリッジおよび画像形成装置に関する。
【背景技術】
【０００２】
プリンタ、ファクシミリ、複写装置、これらの複合機等の画像形成装置として、例えば、液滴吐出ヘッドで構成した記録ヘッド（以下、ヘッドともいう）を含む装置を用いて、記録媒体（以下、用紙ともいうが材質を限定するものではなく、印刷媒体、被記録媒体、記録用紙、転写材、記録紙なども同義で使用する）を搬送しながら、液体としてのインク（記録液）を用紙に付着させて画像形成（記録、印刷、印写、印字も同義語で用いる）を行なう、いわゆるインクジェット方式の画像形成装置（インクジェット記録装置ともいう）が知られている。
【０００３】
近年、インクジェット記録装置は、印刷速度の高速化、高画質化、低価格化、小型化が進んで広く普及している。このようなインクジェット記録装置に用いられる液滴吐出ヘッドは、一般に、複数のノズル列を有し、ノズル列に連通した複数の個別液室（圧力室）を有し、該複数の個別液室には比較的容積の大きな共通の共通液室が連通されている構成が一般的である。個別液室に選択的にエネルギーを印加することにより個別液室を変形させ、液滴を吐出させて任意の画像をオンデマンドで形成することができる。
【０００４】
液滴吐出ヘッドの個別液室に圧力変動を発生させる方式は複数のものが実用化、製品化されている。例えば、個別液室内にヒータを設置することで液体を気化させ、圧力変動を利用するサーマルインクジェット方式、個別液室にアクチュエータを設置する方式等が挙げられる。また、アクチュエータを用いる方式では、アクチュエータの種類により圧電素子方式、静電方式等が知られている。
【０００５】
アクチュエータを用いる方式では、幅広い物性のインクに対応可能である反面、液室配列の高密度化、ヘッドの小型化が困難とされているが、いわゆるＭＥＭＳ（Micro Electro Mechanical Systems）プロセスを用いることで高密度化する技術が確立されてきている。すなわち、個別液室に薄膜形成技術を用いて振動板、電極、圧電体等を積層したユニモルフ型アクチュエータとすることで、半導体デバイス製造プロセス（フォトリソグラフィ）を用いて個別の圧電素子と電極、配線をパターニングすることで高密度化することが可能となってきている。
【０００６】
インクジェット記録ヘッドには印刷速度の高速化の対応への要求が高まっており、高速化を図るためにはノズルから高い周波数でインクを吐出することが求められ、高い周波数で吐出するためには、液滴吐出ヘッドの剛性を高くして固有周期を短くする必要がある。また、画像の高画質化の要求に対しては、ノズルの数を増加して高密度化する傾向にある。それに伴い、各個別液室の間隔は狭まる傾向にあり、ヘッドの小型化、高密度化も対応する必要がある。また、高速化の要求に対しては、ヘッドの長尺化も試みられており、例えば、記録媒体の幅全領域を覆うことのできる記録ヘッドを備えたいわゆるライン型プリンタも提案されている。
【０００７】
ところで、圧電素子の周囲の空間に生じる圧力変化により、ヘッドの液滴吐出性能に変化が生じるおそれがあることが知られている。具体的には、ヘッドを組立てる際に接着剤を加熱接合することによる熱や、フォトリソグラフィプロセス中の熱や、ヘッド駆動による圧電素子の発熱によって、空間の温度が変化する場合、圧電素子の周囲の空間の圧力も変化してしまい、吐出特性が変化してしまうものである。
【０００８】
このような問題に対して、圧電素子の周囲の空間を密閉させない構成とすることが考案されている。例えば、特許文献１には、複数のノズルと、各ノズルに連通され、吐出するインクを貯留する複数の圧力室と、複数の圧力室の一壁部となる振動板と、振動板に積層され、振動板を挟んで圧力室に対向する位置に形成された空間を有する隔壁部材と、空間内で振動板に設けられ、駆動電圧の印加により振動板を変位させる圧電素子と、隔壁部材に積層され、圧電素子に駆動電圧を印加する電極に接続された配線層部と、を備え、配線層部における空間に露出する面に、該空間と大気とを連通する溝を形成したインクジェットヘッドが開示されている。
【０００９】
また、特許文献２には、圧電素子が設けられる圧電素子基板と、圧電素子基板と離間して対向するように配置された上部基板と、上部基板と圧電素子基板との間に空洞を構成するリブ隔壁、を備え、該空洞が、大気に連通している液滴吐出ヘッドが開示されている。
【発明の概要】
【発明が解決しようとする課題】
【００１０】
特許文献１に記載の技術では、圧電素子上に形成される空間は、流路基板と隔壁部材と配線層部との３つの部材で囲まれることで形成し、圧電素子の上部に位置する配線層部に設けた溝を介して大気と連通させている。また、特許文献２に記載の技術では、圧電素子上に形成される空間は、圧電素子基板と上部基板とリブ隔壁との３つの部材で囲まれることで形成され、リブ隔壁に設けた空洞を介して大気と連通させている。
【００１１】
特許文献１では、隔壁部材をＤＦＲ（ドライフィルレジスト）で形成しているため、高密度化を図る上では、隔壁部材の幅を狭く加工する必要があるが、ＤＦＲの加工精度はシリコンより劣るため、小型高密度を図ることが難しいという問題がある。また、高い周波数で液滴を吐出するためには、固有周期を短くするために圧電素子の周囲を圧電素子ごとに保持する必要があるが、ＤＦＲでは剛性が低いために高速印字に対応することが難しい。さらに、隔壁部材にインク流路が形成されるが、ＤＦＲではインク耐性を考慮すると選択性が低いという問題がある。
【００１２】
また、特許文献２に記載の技術では、隔壁部材が感光性樹脂で形成されているため、高い周波数でインクを吐出するためには圧電素子の周囲を圧電素子ごとに保持する必要があるが、感光性樹脂では剛性が低いために高速印字に対応できないという問題がある。
【００１３】
そこで本発明は、圧電素子上の空間を流路基板と、シリコンからなる保持基板との２つの部材により形成し、該保持基板に大気と連通させるための溝部を設けることにより、圧電素子の周囲に形成される空間の圧力変化を抑制することができ、また、高速化に対応可能であって、かつ、小型化および高密度化を図ることができる液滴吐出ヘッド、インクカートリッジおよび画像形成装置を提供することを目的とする。
【課題を解決するための手段】
【００１４】
かかる目的を達成するため、本発明に係る液滴吐出ヘッドは、液体を吐出する複数のノズルが設けられたノズルプレートと、該ノズルプレートと接合され、隔壁により区切られた複数の液室が設けられた流路基板と、前記液室内の液体を加圧する圧力を発生するための駆動手段と、前記液室の少なくとも一部の壁面を形成する振動板と、前記流路基板の前記ノズルプレートとは反対側に接合され、シリコンからなる保持基板と、を備えた液滴吐出ヘッドにおいて、前記保持基板は、前記流路基板側の前記駆動手段に対向する位置に、該保持基板と前記流路基板とで囲まれる空間部を有し、該空間部は、前記保持基板に設けられた溝部を介して大気と連通しているものである。
【発明の効果】
【００１５】
本発明によれば、圧電素子上に形成される空間の圧力変化を抑制することができ、また、高速化に対応可能であって、かつ、小型化および高密度化を図ることができる。
【図面の簡単な説明】
【００１６】
【図１】本発明に係る液滴吐出ヘッドの一実施形態であるインクジェット記録ヘッドの個別液室長手方向の断面図である。
【図２】インクジェット記録ヘッドの流路基板の平面図である。
【図３】インクジェット記録ヘッドの個別液室短手方向の断面図である。
【図４】第１の実施形態に係る保持基板の模式図であって、（Ａ）は共通液室基板側からの保持基板平面図、（Ｂ）は流路基板側からの保持基板平面図である。
【図５】第２の実施形態に係る保持基板の模式図であって、（Ａ）は共通液室基板側からの保持基板平面図、（Ｂ）は流路基板側からの保持基板平面図である。
【図６】第３の実施形態に係る保持基板の模式図であって、（Ａ）は共通液室基板側からの保持基板平面図、（Ｂ）は流路基板側からの保持基板平面図である。
【図７】第４の実施形態に係る保持基板の模式図であって、（Ａ）は共通液室基板側からの保持基板平面図、（Ｂ）は流路基板側からの保持基板平面図である。
【図８】ヘッド一体型インクカートリッジの一例を示す斜視図である。
【図９】インクジェット記録装置の機構部の全体構成を説明する概略構成図（１）である。
【図１０】インクジェット記録装置の機構部の要部平面説明図である。
【図１１】インクジェット記録装置の機構部の全体構成を説明する概略構成図（２）である。
【発明を実施するための形態】
【００１７】
以下、本発明に係る構成を図１から図１１に示す実施の形態に基づいて詳細に説明する。
【００１８】
＜第１の実施形態＞
（液滴吐出ヘッド構成）
本実施形態に係る液滴吐出ヘッド（インクジェット記録ヘッド１００）は、液体（インク）を吐出する複数のノズル（ノズル２）が設けられたノズルプレート（ノズルプレート１）と、該ノズルプレートと接合され、隔壁（流路基板隔壁１６）により区切られた複数の液室（個別液室１１）が設けられた流路基板（流路基板１０）と、液室内の液体を加圧する圧力を発生するための駆動手段（圧電素子２４）と、液室の少なくとも一部の壁面を形成する振動板（振動板１３）と、流路基板のノズルプレートとは反対側に接合され、シリコンからなる保持基板（保持基板４０）と、を備えた液滴吐出ヘッドにおいて、保持基板は、流路基板側の駆動手段に対向する位置に、該保持基板と流路基板とで囲まれる空間部（保持基板凹部４１）を有し、該空間部は、保持基板に設けられた溝部（第一溝部４４、および／または第二溝部４５）を介して大気と連通しているものである。
【００１９】
図１は、本発明に係る液滴吐出ヘッドの一実施形態であるインクジェット記録ヘッド１００の個別液室長手方向の断面図を示している。また、図２は、インクジェット記録ヘッド１００の流路基板の平面図（上面図）、また、図３は、インクジェット記録ヘッド１００の個別液室短手方向の断面図を示している。
【００２０】
インクジェット記録ヘッド１００の構成について図１〜図３を参照しつつ説明する。インクジェット記録ヘッド１００は、振動板１３を上部に積層した流路基板１０の下面にノズルプレート１を接合し、流路基板１０の上部に保持基板４０、共通液室基板５０を積層した積層構造に、インク流路を形成することで構成されている。
【００２１】
ノズル２から吐出されるインクは、先ず、インクタンク（図示せず）から連通する共通液室５１から、保持基板４０に設けられた保持基板開口部４３と、流路基板１０に開口するインク供給口１７と、インク供給口１７から個別液室１１まで連通するインク供給路１２を介して、個別液室１１に供給される。また、個別液室１１の振動板１３上に形成される圧電素子２４（下部電極（共通電極）２１、圧電体２２、上部電極（個別電極）２３、からなる）を駆動することで生じる圧力により個別液室１１に連通するノズル２から吐出されるものである。
【００２２】
なお、圧電素子２４は上部電極２３、下部電極２１からそれぞれ個別電極配線２５、共通電極配線２７を用いて引き出され駆動ＩＣ６０と接続されている。また、駆動ＩＣ６０は、図示しない駆動電圧制御部から供給された電圧を、印字パターンをもとに圧電素子２４に選択的に供給して、圧電素子２４を制御するものである。以下、各部の構成例について説明する。
【００２３】
[ノズルプレート]
ノズルプレート１は、インク吐出用のノズル２が複数列（例えば、４列）配列されている基板である。ノズルプレート１の材料は、所望の剛性や加工性に応じて種々選択可能である。例えば、ＳＵＳ、ニッケル等の金属または合金や、シリコン、セラミックス等の無機材料、ポリイミド等の樹脂材料を用いることができる。
【００２４】
なお、ノズル２の加工方法は、ノズルプレート１の材料特性や要求される精度・加工性から最適な方法を選択すればよく、例えば、電鋳めっき法、エッチング法、プレス加工法、レーザ加工法、フォトリソグラフィ法等によればよい。また、ノズル２の開口径、ノズル配列数、配列密度等についても、インクジェット記録ヘッド１００に要求される仕様に合わせて所望の組み合わせを設定すればよい。
【００２５】
[流路基板]
流路基板１０は、には、個別液室１１、インク供給口１７、インク供給口１７から個別液室１１への流体抵抗部であるインク供給路１２、が形成される。個別液室１１はノズルプレート１と接合する面に配置される。また、保持基板４０と接合する側の面には振動版１３、圧電素子２４、個別電極配線２５、個別電極パッド２６、共通電極配線２７、共通電極パッド２８等が配置される。また、個別電極配線２５および共通電極配線を２７を覆うように第一絶縁膜２９が配置され、圧電素子２４の全面もしくは一部を覆うように第二絶縁膜３０が配置されている。
【００２６】
流路基板１０の材料は、所望の加工性・物性から種々選択可能であるが、例えば、３００ｄｐｉ（約８５μｍピッチ）以上ではフォトリソグラフィ法を用いることができるシリコン基板を用いることが好ましい。
【００２７】
個別液室１１の加工は、フォトリソグラフィ法を用いる場合は、例えば、ウェットエッチング法、ドライエッチング法等を用いることができる。これにより、振動板１３の個別液室１１側を二酸化シリコン膜等として、エッチストップ層とできるため、液室高さを高精度に制御することができる。
【００２８】
個別液室１１は、ノズル２に対応する位置に設けられてインクに圧力を加え、ノズル２からインク液滴を吐出させるものである。個別液室１１の上部には振動板１３が形成され、振動板１３上には下部電極２１、圧電体２２、上部電極２３が積層された圧電素子２４が形成される。振動板１３としては、例えば、シリコンや窒化物、酸化物、炭化物等の剛性の高い材料を用いることが好ましい。また、これらの材料の積層構造としても良い。積層膜とする場合は、それぞれの材料の内部応力を考慮し、残留応力が少ない構成とすることが好ましい。例えば、Ｓｉ３Ｎ４とＳｉＯ２の積層の場合は、引っ張り応力となるＳｉ３Ｎ４と圧縮応力となるＳｉＯ２を交互に積層し、応力を緩和することができる。
【００２９】
また、振動板１３の厚さは、所望の特性に応じて選択可能であるが、例えば、０．５μｍ〜１０μｍの範囲が好ましく、さらに好ましくは１．０〜５．０μｍの範囲である。振動板１３が薄すぎる場合、クラック等により振動板１３が破損しやすくなり、厚すぎる場合は変位量が小さくなり吐出効率が低下するためである。また、薄すぎる場合は、振動板１３の固有振動数が低下し、駆動周波数が高められないことに繋がる。
【００３０】
下部電極２１および上部電極２３としては、導電性材料を用いることができる。例えば、金属、合金、導電性化合物等である。また、単層膜でも積層膜でも良い。なお、圧電体２２と反応したり、拡散したりしない安定性の高い材料とする必要がある。また、圧電体２２、振動板１３との密着性を考慮し、密着層を形成することも好ましい。下部電極２１および上部電極２３の例としては、例えば、Ｐｔ、Ｉｒ、Ｉｒ酸化物、Ｐｄ、Ｐｄ酸化物等が安定性の高い材料として挙げられる。また、振動板１３との密着層としては、Ｔｉ、Ｔａ、Ｗ、Ｃｒ等を用いることができる。
【００３１】
圧電体２２としては、圧電性を示す強誘電体材料を用いることができる。例えば、チタン酸ジルコン酸鉛やチタン酸バリウムを用いることができる。圧電体２２の成膜方法は、特に限られるものではないが、例えば、スパッタリング法、ゾルゲル法等によることができる。なお、成膜温度の低さからゾルゲル法が好ましい。
【００３２】
また、上部電極２３および圧電体２２は、個別液室１１ごとにパターニングされる。パターニングは、通常のフォトリソグラフィ法を用いることができる。なお、圧電体２２の成膜をゾルゲル法にて行う場合は、スピンコーティング法や印刷法を用いることとしても良い。
【００３３】
圧電体２２と下部、上部電極２１，２３から構成される圧電素子２４は、個別液室１１の上部相当位置に形成されることが好ましい。個別液室１１を区画する流路基板隔壁１６上に形成した場合は、振動板１３の変形を阻害してしまうため、吐出効率の低下や応力集中による圧電素子２４の破損等の原因となりうる。
【００３４】
また、流路基板１０には、個別液室１１に連通するインク供給路１２が形成される。インク供給路１２は共通液室５１から個別液室１１にインクを供給する機能を有すると同時に、圧電素子２４を駆動することにより個別液室１１に発生する圧力により、インクの逆流を防止しノズル２から吐出させる機能を有する。
【００３５】
そのため、個別液室１１のインク流動方向の断面積を小さくし、流体抵抗を高くする必要がある。流路基板１０にシリコン基板を用い、個別液室１１とインク供給路１２をフォトリソグラフィ法（エッチング含む）を用いて形成することは、個別液室１１と同一の条件で加工することができるため好ましい。
【００３６】
なお、インク供給路１２の高さを個別液室１１より低くすることで、流体抵抗を高めるためには、個別液室１１のオーバーエッチング量を時間管理で制御する必要があるため、エッチングレートのばらつきにより、流体抵抗を均一にすることができない。その結果、吐出均一性が悪化する。
【００３７】
インク供給路１２は、振動板１３が開口するインク供給口１７、保持基板開口部４３を通じて共通液室５１に連通している。
【００３８】
個別液室１１は、図１に示す断面図における手前方向から奥方向に、流路基板隔壁１６を介して配列されている（図３）。個別液室１１は流路基板隔壁１６により区画されており、それぞれに対応する圧電素子２４が形成される。
【００３９】
なお、個別液室１１の高さはヘッド特性に応じて任意に選択可能であるが、例えば、２０〜１００μｍの範囲とすることが好ましい。また、流路基板隔壁１６は、配列密度に合わせて任意に設定することが可能であるが、隔壁幅は、例えば、１０〜３０μｍとすることが好ましい。なお、隔壁幅が狭い場合、隣接する個別液室１１の圧電素子２４を駆動した場合に隣接液室間の相互干渉が発生し、吐出ばらつきが大きくなるおそれがある。したがって、隔壁幅を狭くすることが必要な場合は、液室高さを低くすることが好ましい。
【００４０】
[電極配線]
配列した圧電素子２４に駆動信号を入力するために、上部電極２３から個別電極を引き出し、下部電極２１から共通電極を引き出す構成となっている。図２に示すように、個別電極は、配列する上部電極２３から個別電極配線２５を介して個別電極パッド２６まで引き出される。下部電極２１は個別電極パッド２６と反対側のインク供給口１７の手前のインク供給路上にまで延伸され、下部電極２１と導通する共通電極配線２７を介して共通電極パッド２８まで引き出される。なお、図２では振動板１３の図示は省略している。
【００４１】
なお、下部電極２１と共通電極配線２７との間には、第一絶縁膜２９が形成され、第一絶縁膜２９に開けられたコンタクトホール１５を介して電気的に接続されている。同様に、上部電極２３と個別電極配線２５との間には、第一絶縁膜２９が形成され、第一絶縁膜２９に開けられたコンタクトホール１４を介して電気的に接続されている。また、共通電極パッド２８、個別電極パッド２６は、駆動ＩＣ６０に接続される。
【００４２】
なお、個別電極配線２５と共通電極配線２７は同一材料、同一工程で形成することが好ましい。電極材料としては、抵抗値の低い金属、合金、導電性材料等を用いることができる。また、上部電極２３、下部電極２１とコンタクト抵抗の低い材料を用いることが必要である。例えば、Ａｌ、Ａｕ、Ａｇ、Ｐｄ、Ｉｒ、Ｗ、Ｔｉ、Ｔａ、Ｃｕ、Ｃｒなどを用いることができる。
【００４３】
また、コンタクト抵抗を低減するために、これらの材料の積層構造としても良い。コンタクト抵抗を下げる材料として、導電性化合物を用いても良い。例えば、Ｔａ２Ｏ５、ＴｉＯ２、ＴｉＮ、ＺｎＯ、Ｉｎ２Ｏ３、ＳｎＯ等の酸化物，窒化物およびその複合化合物を用いることができる。膜厚は特に限られるものではないが、例えば、１μｍ以下とすることが好ましい。
【００４４】
また、成膜には真空成膜法等の膜厚均一性が高い成膜方法を用いることが好ましい。これらの電極は、保持基板４０との接合面となるため、高さ均一性を確保できる膜厚、成膜方法とすることが必要である。
【００４５】
個別電極配線２５および共通電極配線２７を、保持基板外側まで引き出して個別電極パッド２６および共通電極パッド２８を形成する。また、個別電極パッド２６および共通電極パッド２８に駆動ＩＣ６０からの信号を入力するワイヤ６２を接続する。また、ワイヤ６２の他端側は駆動ＩＣ６０に形成された駆動ＩＣパッド６１に接続される。
【００４６】
なお、配線の接続方法は、特に限られるものではないが、例えば、ＦＰＣを用いたＡＣＦ接合、ハンダ接合や、ワイアボンディング法、駆動ＩＣ６０の出力端子と直接接合するフリップチップ法等を用いることができる。各接合方式に合わせてパッドの材料、構造を選定すればよい。
【００４７】
[保持基板]
保持基板４０は、流路基板１０（２０〜１００μｍ厚）の剛性を確保するために、流路基板１０のノズルプレート１とは対向する側に接合される。保持基板４０の材料は、シリコンである。なお、流路基板１０の反りを防止するために熱膨張係数の近い材料を選定することが好ましい。また、例えば、ガラスやＳｉＯ２、ＺｒＯ２、Ａｌ２Ｏ３等のセラミクス材料とすることも好ましい。
【００４８】
また、保持基板４０には、共通液室５１から個別液室１１まで液体を供給するためのインク供給路である保持基板開口部４３が形成されている。保持基板開口部４３は共通液室５１の一部を形成するといえ、流路基板１０側のインク供給口１７と連通している。
【００４９】
さらに、保持基板４０は、個別液室１１に対向する領域に保持基板凹部４１が形成される。保持基板凹部４１は保持基板４０の堀加工により形成された空間で、内部に圧電素子２４が配置されて圧電素子２４が変位可能な稼働領域を形成している。
【００５０】
この各保持基板凹部４１は隣接する個別液室１１ごとに区画され、保持基板隔壁４２で隔てられている。この保持基板隔壁４２は、流路基板隔壁１６上で接合されることが好ましい。それにより、板厚の薄い流路基板１０の剛性を高めることができ、圧電素子２４を駆動した際の隣接液室間の相互干渉を低減することが可能となる。また、保持基板凹部４１は個別液室１１ごとに区画されるため、高密度化のためには高度な加工精度が要求され、３００ｄｐｉヘッドにおいては保持基板隔壁幅４２を５〜２０μｍとすることが望ましい。
【００５１】
図４に本実施形態の保持基板４０の模式図を示す。なお、図４（Ａ）は共通液室基板側からの保持基板平面図、図４（Ｂ）は流路基板側からの保持基板平面図を示している。図４に示すように、保持基板凹部４１を個別液室１１毎（すなわち、圧電素子２４毎）に形成し、各保持基板凹部４１から見て保持基板開口部４３とは反対側の側部からヘッド外部の大気へと連通する凹溝（第一溝部）４４を設けている。この凹溝４４によって各圧電素子２４上の空間（各保持基板凹部４１）を大気へ連通させることで、温度が変化しても空間の圧力が変化するのを抑制することが可能となる。また、図４に示すように、凹溝４４は保持基板４０の流路基板１０側の面に設けられることが好ましい。
【００５２】
（製造方法）
以下、インクジェット記録ヘッド１００の製造方法の具体例を説明する。直径６インチ、厚さ６００μｍのシリコンウェハ上に、ＳｉＯ２０．６μｍ、Ｓｉ１．５μｍ、ＳｉＯ２０．４μｍを積層することで３層構成の振動板１３を形成した後に、下部電極２１としてＴｉ２０ｎｍ、Ｐｔ２００ｎｍをスパッタリング法で成膜した。
【００５３】
次に、下部電極２１上にチタン酸ジルコン酸鉛（ＰＺＴ）を有機金属溶液に用いたゾルゲル法で厚さ２μｍ成膜した後、７００℃で焼成し、ＰＺＴの圧電体膜を形成した（圧電体２２）。その後、圧電体膜上にＰｔを２００ｎｍスパッタリング法で成膜し、上部電極２３とした。
【００５４】
次に、上部電極２３形成後に、上部電極２３、圧電体２２、下部電極２１をドライエッチング法でパターニングすることで、図２、図３に示した配列をした圧電素子パターンを形成した。
【００５５】
なお、圧電素子２４の配列ピッチは８５μｍとし、圧電体２２の幅は５０μｍとした。また、圧電素子２４の長手方向の長さは１０００μｍとした。圧電素子２４の配列数は300個とした。
【００５６】
圧電素子２４の形成後に、プラズマＣＶＤ法により、第一絶縁膜２９（層間絶縁膜）を成膜し、上部電極２３上に個別電極コンタクトホール１４、共通電極コンタクトホール１５を第一絶縁膜２９に形成後、Ｔｉ５０ｎｍとＡｌ５００ｎｍを順次積層しドライエッチングすることで、個別電極配線２５および共通電極配線２７をパターン形成した。なお、電極パターンは図２に示した通りであり、共通電極配線２７の幅は３００μｍである。
【００５７】
その後、図２に示すインク供給口１７部分の振動板１３をドライエッチングで除去し、流路基板１０にインク供給口１７を形成し、流路基板１０を完成させる。
【００５８】
次に、保持基板凹部４１、保持基板開口部４３、凹溝４４を有する保持基板４０を、直径６インチのシリコンウェハを用いて形成した。まず、シリコンウエハを厚さ４００μｍに研磨し、流路基板１０側に酸化膜などを形成する。
【００５９】
その後、その酸化膜を、保持基板凹部４１および保持基板開口部４３が開口するようにフォトリソグラフィでパターニングする。さらに、その上にレジストを形成し、保持基板開口部４３だけが開口するようにレジストをフォトリソグラフィでパターニングする。
【００６０】
そして、ＩＣＰエッチングで流路基板１０側から保持基板開口部４３を貫通形成する。その後、流路基板１０側のレジストのみを除去し、はじめにパターニングした酸化膜パターンをマスクとして、流路基板１０側をＩＣＰエッチングでハーフエッチングする。最後に酸化膜を除去すると、流路基板１０側のインク供給口１７と貫通した保持基板開口部４３を形成することができる。
【００６１】
また、図４に示したように、保持基板凹部４１を個別液室１１毎（すなわち、圧電素子２４毎）に形成し、各保持基板凹部４１から保持基板開口部４３とは反対側へ連通する凹溝（第一溝部）４４を形成した。また、保持基板隔壁４２の幅を１０μｍとした。
【００６２】
この保持基板４０によれば、シリコンＩＣＰエッチングであるので高い加工精度が得られ、また剛性も十分確保できるので、小型高密度化および高速化に対応することが可能となる。また、この保持基板４０をＤＦＲなどで作成するよりもコストを安くすることができ、樹脂に比べて耐インク性や耐透湿性も良好である。
【００６３】
作成した保持基板４０の接合面にエポキシ系接着剤をフレキソ印刷機で膜厚２μｍで塗布して接合し、接着剤を硬化することで流路基板１０と接合した。その後、６００μｍの流路基板１０を８０μｍまで研磨した後に、個別液室１１、インク供給路１２をＩＣＰドライエッチング法で形成した。
【００６４】
個別液室１１の幅は６０μｍとし、インク供給路１２の幅は３０μｍ、長さは３００μｍとした。インク供給路１２および個別液室１１のエッチングは振動板１３に到達するまで行い同一の高さとした。また、インク供給口４３部分の振動板１３は、事前にエッチングしたため、貫通口を形成することができる。
【００６５】
また、ウェハをダイシングによりチップに切り出した後に、保持基板４０と同様の手法でノズルプレート１と流路基板１０を接合した。ノズルプレート１は厚さ３０μｍのＳＵＳ材にプレス加工で直径２０μｍのノズルを８５μｍピッチで形成したものを用いた。
【００６６】
さらに、保持基板４０の流路基板１０の反対側には、図１に示したように、ＳＵＳ製の共通液室基板５０を接合し、図示しないインクタンクと接続し、個別電極パッド２６部にＡＣＦ接合にて、駆動ＩＣ６０を実装したＴＡＢを接合することでインクジェット記録ヘッド１００とした。
【００６７】
以上説明した本実施形態に係るインクジェット記録ヘッド１００によれば、保持基板凹部４１を個別液室１１（圧電素子２４）に対応するように形成し、各保持基板凹部４１から保持基板開口部４３とは反対側から大気へと連通する凹溝（第一溝部４４）が設けられているので、凹溝４４によって各圧電素子２４上の空間（各保持基板凹部４１）を大気へ連通させることができ、温度変化等による圧電素子周囲空間の圧力変動を抑制することができる。
【００６８】
また、シリコンＩＣＰエッチングであるので高い加工精度が得られ、また剛性も十分確保できるので、高速化に対応可能であって、かつ、小型化および高密度化を図ることができる。さらに、保持基板をＤＦＲなどで作成するよりもコストを安くすることができ、樹脂に比べて耐インク性や耐透湿性も良好なものとすることができる。
【００６９】
＜第２の実施形態＞
以下、本発明に係る液滴吐出ヘッドのその他の実施形態について説明する。なお、上記実施形態と同様の点についての説明は省略する。なお、製造方法については上記第１の実施形態と同様の方法によれば良い。
【００７０】
図５に第２の実施形態の保持基板４０の模式図を示す。なお、図５（Ａ）は共通液室基板側からの保持基板平面図、図５（Ｂ）は流路基板側からの保持基板平面図を示している。
【００７１】
本実施形態では、凹溝（第一溝部）４４と共に、各圧電素子２４に対応して形成される各保持基板凹部４１を、それぞれ隣接する保持基板凹部４１同士で連通する凹溝（第二溝部）４５を更に備えたものである。なお、形成方法は、第一溝部４４と同様の方法に寄れば良い。
【００７２】
本実施形態によれば、隣接する凹部４１同士を連通させることで、上記第１の実施形態の効果に併せて、隣接する凹部４１間の圧力差をより少なくすることが可能となる。
【００７３】
＜第３の実施形態＞
図６に第３の実施形態の保持基板４０の模式図を示す。なお、図６（Ａ）は共通液室基板側からの保持基板平面図、図６（Ｂ）は流路基板側からの保持基板平面図を示している。
【００７４】
本実施形態では、第２の実施形態と同様に、凹溝（第二溝部）４５を備え、第二溝部４５を、隣接する凹部４１のない両端部の凹部４１から、さらに大気へ連通させた構成としたものである。
【００７５】
本実施形態によれば、各凹部４１から第一溝部４４で大気に連通させることに加え、第二溝部４５により両端部の凹部４１からも大気へ連通させているので、上記第１〜第２の実施形態の効果に併せて、隣接する凹部間の圧力差をさらに少なくすることが可能となる。
【００７６】
＜第４の実施形態＞
図７に第４の実施形態の保持基板４０の模式図を示す。なお、図７（Ａ）は共通液室基板側からの保持基板平面図、図７（Ｂ）は流路基板側からの保持基板平面図を示している。
【００７７】
第１〜第３の実施形態では、圧電素子２４上の凹部４１から保持基板開口部４３とは反対側へ凹溝（第一溝部）４４を設けているが、例えば、圧電素子２４上の凹部４１から保持基板開口部４３とは反対側を、樹脂などで封入する必要がある場合等において、凹溝４４が埋まってしまったり、また逆流してしまったりすることが想定される場合など、凹溝（第一溝部）４４を設けることが困難な場合がある。
【００７８】
そこで本実施形態では、凹溝（第一溝部）４４を設けず、凹部４１間を連通する凹溝（第二溝部）４５のみを設け、第３の実施形態と同様に、凹溝（第二溝部）４５の両端部から大気へ連通させるようにしている。
【００７９】
本実施形態によれば、凹溝（第一溝部）４４を設けることが困難な場合であっても、隣接する凹部間の圧力差を少なくすることが可能となる。
【００８０】
＜第５の実施形態＞
次に、本発明に係るインクカートリッジの一実施形態について説明する。以上説明した実施形態に係る液滴吐出ヘッドは、これを備えたヘッド一体型インクカートリッジ（液滴吐出ヘッド一体型カートリッジ）とすることが好ましい。
【００８１】
図８は、インクカートリッジ９０の一例を示す模式図である。このインクカートリッジ９０は、ノズル２等を有する上記各実施形態のいずれかのインクジェット記録ヘッド１００と、このインクジェット記録ヘッド１００にインクを供給するインクタンク９１とを一体化したものである。
【００８２】
このインクタンク一体型のインクカートリッジ９０では、上記のインクジェット記録ヘッド１００を搭載しているため、印刷速度の高速化および高画質化を併せて実現できるインクカートリッジとすることができる。
【００８３】
＜第６の実施形態＞
次に、本発明に係る画像形成装置の一実施形態について説明する。以上説明した実施形態に係る液滴吐出ヘッドまたはインクカートリッジを備えた画像形成装置（インクジェット記録装置）とすることが好ましい。
【００８４】
本実施形態に係るインクジェット記録装置について図９及び図１０を参照して説明する。なお、図９は同装置の機構部の全体構成を説明する概略構成図、図１０は同機構部の要部平面説明図である。なお、本実施形態では、液滴吐出ヘッドを備えた画像形成装置（インクジェット記録装置）について説明する。
【００８５】
この画像形成装置はシリアル型画像形成装置であり、左右の側板２２１Ａ、２２１Ｂに横架したガイド部材である主従のガイドロッド２３１、２３２でキャリッジ２３３を主走査方向に摺動自在に保持し、図示しない主走査モータによってタイミングベルトを介して矢示方向（キャリッジ主走査方向）に移動走査する。
【００８６】
このキャリッジ２３３には、イエロー（Ｙ）、シアン（Ｃ）、マゼンタ（Ｍ）、ブラック（Ｋ）の各色のインク滴を吐出するための本発明に係る液滴吐出ヘッドユニットからなる記録ヘッド２３４を複数のノズルからなるノズル列を主走査方向と直交する副走査方向に配列し、インク滴吐出方向を下方に向けて装着している。
【００８７】
記録ヘッド２３４は、それぞれ２つのノズル列を有する液滴吐出ヘッド２３４ａ、２３４ｂを１つのベース部材に取り付けて構成したもので、一方のヘッド２３４ａの一方のノズル列はブラック（Ｋ）の液滴を、他方のノズル列はシアン（Ｃ）の液滴を、他方のヘッド２３４ｂの一方のノズル列はマゼンタ（Ｍ）の液滴を、他方のノズル列はイエロー（Ｙ）の液滴を、それぞれ吐出する。
【００８８】
なお、ここでは２ヘッド構成で４色の液滴を吐出する構成としているが、各色毎の液滴吐出ヘッドを備えることもできる。また、キャリッジ２３３には、記録ヘッド２３４のノズル列に対応して各色のインクを供給するためのサブタンク２３５ａ、２３５ｂ（区別しないときは、サブタンク２３５という）を搭載している。このサブタンク２３５には各色の供給チューブ２３６を介して、供給ユニット２２４によって各色のインクカートリッジ２１０（２１０ｋ，２１０ｃ，２１０ｍ，２１０ｙ）から各色のインクが補充供給される。
【００８９】
一方、給紙トレイ２０２の用紙積載部（圧板）２４１上に積載した用紙２４２を給紙するための給紙部として、用紙積載部２４１から用紙２４２を１枚ずつ分離給送する半月コロ（給紙コロ）２４３及び給紙コロ２４３に対向し、摩擦係数の大きな材質からなる分離パッド２４４を備え、この分離パッド２４４は給紙コロ２４３側に付勢されている。
【００９０】
そして、この給紙部から給紙された用紙２４２を記録ヘッド２３４の下方側に送り込むために、用紙２４２を案内するガイド部材２４５と、カウンタローラ２４６と、搬送ガイド部材２４７と、先端加圧コロ２４９を有する押さえ部材２４８とを備えるとともに、給送された用紙２４２を静電吸着して記録ヘッド２３４に対向する位置で搬送するための搬送手段である搬送ベルト２５１を備えている。
【００９１】
この搬送ベルト２５１は、無端状ベルトであり、搬送ローラ２５２とテンションローラ２５３との間に掛け渡されて、ベルト搬送方向（副走査方向）に周回するように構成している。また、この搬送ベルト２５１の表面を帯電させるための帯電手段である帯電ローラ２５６を備えている。この帯電ローラ２５６は、搬送ベルト２５１の表層に接触し、搬送ベルト２５１の回動に従動して回転するように配置されている。
【００９２】
この搬送ベルト２５１は、図示しない副走査モータによってタイミングを介して搬送ローラ２５２が回転駆動されることによってベルト搬送方向に周回移動する。さらに、記録ヘッド２３４で記録された用紙２４２を排紙するための排紙部として、搬送ベルト２５１から用紙２４２を分離するための分離爪２６１と、排紙ローラ２６２及び排紙コロ２６３とを備え、排紙ローラ２６２の下方に排紙トレイ２０３を備えている。
【００９３】
また、装置本体の背面部には両面ユニット２７１が着脱自在に装着されている。この両面ユニット２７１は搬送ベルト２５１の逆方向回転で戻される用紙２４２を取り込んで反転させて再度カウンタローラ２４６と搬送ベルト２５１との間に給紙する。また、この両面ユニット２７１の上面は手差しトレイ２７２としている。
【００９４】
さらに、キャリッジ２３３の走査方向一方側の非印字領域には、記録ヘッド２３４のノズルの状態を維持し、回復するための維持回復機構２８１を配置している。この維持回復機構２８１には、記録ヘッド２３４の各ノズル面をキャピングするための各キャップ部材（以下、キャップ）２８２ａ、２８２ｂ（区別しないときは、キャップ２８２という）と、ノズル面をワイピングするためのブレード部材であるワイパーブレード２８３と、増粘したインクを排出するために記録に寄与しない液滴を吐出させる空吐出を行うときの液滴を受ける空吐出受け２８４などを備えている。
【００９５】
また、キャリッジ２３３の走査方向他方側の非印字領域には、記録中などに増粘したインクを排出するために記録に寄与しない液滴を吐出させる空吐出を行うときの液滴を受ける空吐出受け２８８を配置し、この空吐出受け２８８には記録ヘッド２３４のノズル列方向に沿った開口部２８９などを備えている。
【００９６】
このように構成したこの画像形成装置においては、給紙トレイ２０２から用紙２４２が１枚ずつ分離給紙され、略鉛直上方に給紙された用紙２４２はガイド２４５で案内され、搬送ベルト２５１とカウンタローラ２４６との間に挟まれて搬送され、更に先端を搬送ガイド２３７で案内されて先端加圧コロ２４９で搬送ベルト２５１に押し付けられ、略９０°搬送方向を転換される。
【００９７】
このとき、帯電ローラ２５６に対してプラス出力とマイナス出力とが交互に繰り返すように、つまり交番する電圧が印加され、搬送ベルト２５１が交番する帯電電圧パターン、すなわち、周回方向である副走査方向に、プラスとマイナスが所定の幅で帯状に交互に帯電されたものとなる。
【００９８】
このプラス、マイナス交互に帯電した搬送ベルト２５１上に用紙２４２が給送されると、用紙２４２が搬送ベルト２５１に吸着され、搬送ベルト２５１の周回移動によって用紙２４２が副走査方向に搬送される。
【００９９】
そこで、キャリッジ２３３を移動させながら画像信号に応じて記録ヘッド２３４を駆動することにより、停止している用紙２４２にインク滴を吐出して１行分を記録し、用紙２４２を所定量搬送後、次の行の記録を行う。記録終了信号又は用紙２４２の後端が記録領域に到達した信号を受けることにより、記録動作を終了して、用紙２４２を排紙トレイ２０３に排紙する。
【０１００】
このように、このインクジェット記録装置においては、上記実施形態に係るインクジェット記録ヘッドを備えているので、圧電素子上の空間の圧力変動を抑制することが可能となる。また、小型高密度化および高速化に対応できる。
【０１０１】
＜第７の実施形態＞
次に、本発明に係る画像形成装置の他の実施形態について説明する。図１１は機構部全体の概略構成図である。
【０１０２】
この画像形成装置は、ライン型画像形成装置であり、装置本体４０１の内部に画像形成部４０２等を有し、装置本体４０１の下方側に多数枚の記録媒体（用紙）４０３を積載可能な給紙トレイ４０４を備え、この給紙トレイ４０４から給紙される用紙４０３を取り込み、搬送機構４０５によって用紙４０３を搬送しながら画像形成部４０２によって所要の画像を記録した後、装置本体４０１の側方に装着された排紙トレイ４０６に用紙４０３を排紙する。
【０１０３】
また、装置本体４０１に対して着脱可能な両面ユニット４０７を備え、両面印刷を行うときには、一面（表面）印刷終了後、搬送機構４０５によって用紙４０３を逆方向に搬送しながら両面ユニット４０７内に取り込み、反転させて他面（裏面）を印刷可能面として再度搬送機構４０５に送り込み、他面（裏面）印刷終了後排紙トレイ４０６に用紙４０３を排紙する。
【０１０４】
ここで、画像形成部４０２は、例えばブラック（Ｋ）、シアン（Ｃ）、マゼンタ（Ｍ）、イエロー（Ｙ）の各色の液滴を吐出する、フルライン型の４個の本発明に係る液滴吐出ヘッドで構成した記録ヘッド４１１ｋ、４１１ｃ、４１１ｍ、４１１ｙ（色を区別しないときには、記録ヘッド４１１という）を備え、各記録ヘッド４１１は液滴を吐出するノズルを形成したノズル面を下方に向けてヘッドホルダ４１３に装着している。
【０１０５】
また、各記録ヘッド４１１に対応してヘッドの性能を維持回復するための維持回復機構４１２ｋ、４１２ｃ、４１２ｍ、４１２ｙ（色を区別しないときには、維持回復機構４１２という）を備え、パージ処理、ワイピング処理などのヘッドの性能維持動作時には、記録ヘッド４１１と維持回復機構４１２とを相対的に移動させて、記録ヘッド４１１のノズル面に維持回復機構４１２を構成するキャッピング部材などを対向させる。
【０１０６】
なお、ここでは、記録ヘッド４１１は、用紙搬送方向上流側から、ブランク、シアン、マゼンタ、イエローの順に各色の液滴を吐出する配置としているが、配置及び色数はこれに限るものではない。また、ライン型ヘッドとしては、各色の液滴を吐出する複数のノズル列を所定間隔で設けた１又は複数のヘッドを用いることもできるし、ヘッドとこのヘッドにインクを供給する記録液カートリッジを一体とすることも別体とすることもできる。
【０１０７】
給紙トレイ４０４の用紙４０３は、給紙コロ（半月コロ）４２１と図示しない分離パッドによって１枚ずつ分離され装置本体４０１内に給紙され、搬送ガイド部材４２３のガイド面４２３ａに沿ってレジストローラ４２５と搬送ベルト４３３との間に送り込まれ、所定のタイミングでガイド部材４２６を介して搬送機構４０５の搬送ベルト４３３に送り込まれる。
【０１０８】
また、搬送ガイド部材４２３には両面ユニット４０７から送り出される用紙４０３を案内するガイド面４２３ｂも形成されている。更に、両面印刷時に搬送機構４０５から戻される用紙４０３を両面ユニット４０７に案内するガイド部材４２７も配置している。
【０１０９】
搬送機構４０５は、駆動ローラである搬送ローラ４３１と従動ローラ４３２との間に掛け渡した無端状の搬送ベルト４３３と、この搬送ベルト４３３を帯電させるための帯電ローラ４３４と、画像形成部４０２に対向する部分で搬送ベルト４３３の平面性を維持するプラテン部材４３５と、搬送ベルト４３３から送り出す用紙４０３を搬送ローラ４３１側に押し付ける押さえコロ４３６と、その他図示しないが、搬送ベルト４３３に付着したインクを除去するためのクリーニング手段である多孔質体などからなるクリーニングローラなどを有している。
【０１１０】
この搬送機構４０５の下流側には、画像が記録された用紙４０３を排紙トレイ４０６に送り出すための排紙ローラ４３８及び拍車４３９を備えている。
【０１１１】
このように構成した画像形成装置において、搬送ベルト４３３は矢示方向に周回移動し、高電位の印加電圧が印加される帯電ローラ４３４と接触することで帯電され、この高電位に帯電した搬送ベルト４３３上に用紙４０３が給送されると、用紙４０３は搬送ベルト４３３に静電的に吸着される。
【０１１２】
このようにして、搬送ベルト４３３に強力に吸着した用紙４０３は反りや凹凸が校正され、高度に平らな面が形成される。そして、搬送ベルト４３３を周回させて用紙４０３を移動させ、記録ヘッド４１１から液滴を吐出することで、用紙４０３上に所要の画像が形成され、画像が記録された用紙４０３は排紙ローラ４３８によって排紙トレイ４０６に排紙される。
【０１１３】
このように、このインクジェット記録装置においては、上記実施形態に係るインクジェット記録ヘッドを備えているので、圧電素子上の空間の圧力変動を抑制することが可能となる。また、小型高密度化および高速化に対応できる。
【０１１４】
尚、上述の実施形態は本発明の好適な実施の例ではあるがこれに限定されるものではなく、本発明の要旨を逸脱しない範囲において種々変形実施可能である。
【０１１５】
例えば、上記実施形態においては、本発明に係る液滴吐出ヘッドをインクジェットヘッドに適用したが、インク以外の液体の滴、例えば、パターニング用の液体レジストを吐出する液滴吐出ヘッド、遺伝子分析試料を吐出する液滴吐出ヘッドなどにも適用することできる。
【符号の説明】
【０１１６】
１  ノズルプレート
２  ノズル
１０  流路基板
１１  個別液室
１２  インク供給路
１３  振動板
１４  コンタクトホール（個別電極）
１５  コンタクトホール（共通電極）
１６  流路基板隔壁
１７  インク供給口
２１  下部電極（共通電極）
２２  圧電体
２３  上部電極（個別電極）
２４  圧電素子
２５  個別電極配線
２６  個別電極パッド
２７  共通電極配線
２８  共通電極パッド
２９  第一絶縁膜
３０  第二絶縁膜
４０  保持基板
４１  保持基板凹部
４２  保持基板隔壁
４３  保持基板開口部
４４  凹溝（第一溝部）
４５  凹溝（第二溝部）
５０  共通液室基板
５１  共通液室
６０  駆動ＩＣ
６１  駆動ＩＣパッド
６２  ワイヤ
９０  インクカートリッジ
９１  インクタンク
１００  インクジェット記録ヘッド（液滴吐出ヘッド）
【先行技術文献】
【特許文献】
【０１１７】
【特許文献１】特開２０１１−１１５９７２号公報
【特許文献２】特開２００６−２８１７７７号公報
【図４】
0005929264.tif 000002
【図５】
0005929264.tif 000003
【図６】
0005929264.tif 000004
【図７】
0005929264.tif 000005
【図８】
0005929264.tif 000006
【図９】
0005929264.tif 000007
【図１０】
0005929264.tif 000008
【図１１】
0005929264.tif 000009
【図１】
0005929264.tif 000010
【図２】
0005929264.tif 000011
【図３】
0005929264.tif 000012